(57)【特許請求の範囲】
【請求項１】
光ディスクに信号を書き込む光ディスク記録装置であって、
信号書き込み用のレーザの出力とされ、イレーズ時のレーザ出力についての指令値ＶＲＤＣと、書き込み時のレーザ出力についての指令値ＶＷＤＣとについて、これらに対応するデジタルデータを記憶する記憶手段と、
該記憶手段に記憶されている該イレーズ時のレーザ出力についての指令値ＶＲＤＣおよび該書き込み時のレーザ出力についての指令値ＶＷＤＣに対応する該デジタルデータと、記録対象となる光ディスクに応じて設定されたε値とに基づいて、該イレーズ時のレーザ出力についての指令値ＶＲＤＣおよび該書き込み時のレーザ出力についての指令値ＶＷＤＣを調整する調整手段と、
を有し、
出荷前の段階で、該イレーズ時のレーザ出力についての指令値ＶＲＤＣおよび該書き込み時のレーザ出力についての指令値ＶＷＤＣに対応する該デジタルデータは、該イレーズ時のレーザ出力についての指令値ＶＲＤＣと、該書き込み時のレーザ出力についての指令値ＶＷＤＣとに対応する代表的レーザ出力値を挟んで設定された２つのレーザ出力値に対応するデータを含み、
該代表的レーザ出力値を挟んで設定された２つのレーザ出力値に対応するデータを含む該デジタルデータと、該光ディスクから得られ該記録対象となる光ディスクに応じて設定されたε値とに基づいて、該イレーズ時のレーザ出力についての指令値ＶＲＤＣおよび該書き込み時のレーザ出力についての指令値ＶＷＤＣが設定調整されることを特徴とする光ディスク記録装置。
【請求項２】
前記ＶＲＤＣに対応する前記デジタルデータをＹ１，Ｙ２と定め、
前記ＶＷＤＣに対応する前記デジタルデータをＹ３，Ｙ４と定め、
イレーズ時のレーザ出力ＰＥ０をＸ１，Ｘ２と定め、
書き込み時のレーザ出力ＰＷ０をＸ３，Ｘ４と定め、
γ調整に必要なＰＥ０をＸＥと定め、
該ＶＲＤＣにセットする電圧をＹＥと定め、
該ＶＷＤＣにセットする電圧をＹＷと定めたときに、
該ＸＥに対応する該ＶＲＤＣのＤ／Ａコンバート値は、
ＹＥ＝Ｙ１＋（（Ｙ２−Ｙ１）／（Ｘ２−Ｘ１））＊（ＸＥ−Ｘ１）
で取得され、
該ＸＥに対応する該ＶＷＤＣのレーザ出力値ＸＷは、
ＸＷ＝ＸＥ／ε
で取得され、
該ＸＷに対応する該ＶＷＤＣのＤ／Ａコンバート値は、
ＹＷ＝Ｙ３＋（（Ｙ４−Ｙ３）／（Ｘ４−Ｘ３））＊（ＸＷ−Ｘ３）
で取得されることを特徴とする請求項１記載の光ディスク記録装置。
【請求項３】
前記記録対象となる光ディスクに応じて設定されたε値は、イレーズ時のレーザ出力ＰＥ０と、書き込み時のレーザ出力ＰＷ０との比ＰＥ０／ＰＷ０とされたことを特徴とする請求項１又は２記載の光ディスク記録装置。
【発明の詳細な説明】
【０００１】
【発明の属する技術分野】
本発明は、ＣＤ−ＲＷなどの記録可能な光ディスクに信号を書き込む光ディスク記録装置に関する。
【０００２】
【従来の技術】
従来より、記録メディアの１つとして、ＣＤ（コンパクトディスク）が広く普及されており、信号を書き換え可能なＣＤであるＣＤ−ＲＷも広く利用されるようになってきている。このＣＤ−ＲＷでは、試し書き領域に段階的に変化する複数のレーザ出力で試し書きを行い、これを読み出して、書き込み時におけるレーザ出力を決定するが、この試し書きの前に、書き込み対象となるＣＤ−ＲＷに応じてε値の調整を行う。このε値は、イレーズ時のパワーＰＥ０と、ライト時のパワーＰＷ０との比（ＰＥ０／ＰＷ０）であり、ディスクに固有の値が設定されている。従って、光ディスク記録装置では、まずＣＤ−ＲＷディスクからε値を読み出し、このε値になるようにレーザ出力を設定する。
【０００３】
このために、まず光ピックアップからのレーザ出力をイレーズパワーに設定するとともに、フォーカスをオフしてデフォーカス状態とし、ターンテーブル上のＣＤ−ＲＷディスクに照射し、この際の反射光によるフロントモニタダイオード（ＦＭＤ）の出力をローパスフィルタにより直流電圧値として出力する。そして、このローパスフィルタ出力値が所定値になるようにイレーズ時のレーザパワーを決定している電圧値ＶＲＤＣの値と、電源電圧Ｖｃｃ（＋５Ｖ）電圧を両端に持つデジタルポテンショメータの抵抗値とを制御して、書き込み時のレーザ出力（ライトパワー：ＶＷＤＣに対応する）を調整し、これによってε値を調整していた。
【０００４】
【発明が解決しようとする課題】
このような従来のε値の調整においては、調整時においてフォーカスをオフするため、その後におけるフォーカスをオンとする調整に時間がかかるという問題があった。また、フォーカスがオフではあるが、レーザをディスクに照射するため、ディスクに悪影響がでる場合もあった。さらに、ローパスフィルタの出力によって調整されており、レーザ出力の検出精度が低く、調整の精度が低いという問題があった。
【０００５】
本発明は、上記課題に鑑みなされたものであり、ε値の調整を効果的に行うことができる光ディスク記録装置を提供することを目的とする。
【０００６】
【課題を解決するための手段】
本発明の請求項１に係る光ディスク記録装置は、光ディスクに信号を書き込む光ディス
ク記録装置であって、信号書き込み用のレーザの出力とされ、イレーズ時のレーザ出力についての指令値ＶＲＤＣと、書き込み時のレーザ出力についての指令値ＶＷＤＣとについて、これらに対応するデジタルデータを記憶する記憶手段と、該記憶手段に記憶されている該イレーズ時のレーザ出力についての指令値ＶＲＤＣおよび該書き込み時のレーザ出力についての指令値ＶＷＤＣに対応する該デジタルデータと、記録対象となる光ディスクに応じて設定されたε値とに基づいて、該イレーズ時のレーザ出力についての指令値ＶＲＤＣおよび該書き込み時のレーザ出力についての指令値ＶＷＤＣを調整する調整手段と、を有し、出荷前の段階で、該イレーズ時のレーザ出力についての指令値ＶＲＤＣおよび該書き込み時のレーザ出力についての指令値ＶＷＤＣに対応する該デジタルデータは、該イレーズ時のレーザ出力についての指令値ＶＲＤＣと、該書き込み時のレーザ出力についての指令値ＶＷＤＣとに対応する代表的レーザ出力値を挟んで設定された２つのレーザ出力値に対応するデータを含み、該代表的レーザ出力値を挟んで設定された２つのレーザ出力値に対応するデータを含む該デジタルデータと、該光ディスクから得られ該記録対象となる光ディスクに応じて設定されたε値とに基づいて、該イレーズ時のレーザ出力についての指令値ＶＲＤＣおよび該書き込み時のレーザ出力についての指令値ＶＷＤＣが設定調整されることを特徴とする。
【０００７】
上記構成により、記憶手段に記憶されているデータに基づいて、記録対象となる光ディスクに応じて設定されたε値の調整も行うことができ、デジタルポテンショメータなどによる調整が不要となる。デジタルポテンショメータを利用する調整では、フォーカスをオフしてのレーザ照射によってレーザ出力を調整しており、回復に時間がかかり、ディスクに悪影響が生じる可能性があったが、本実施形態によりこれら欠点を解消することができる。さらに、デジタルデータに基づいて出力設定が行われるため、精度のよいε値の調整が行われる。
また、記憶しておく値として、通常使用するレーザ出力値を挟む２つの値を利用することによって、精度の高い設定が行われる。
【０００８】
請求項２に係る光ディスク記録装置は、請求項１記載の光ディスク記録装置において、前記ＶＲＤＣに対応する前記デジタルデータをＹ１，Ｙ２と定め、前記ＶＷＤＣに対応する前記デジタルデータをＹ３，Ｙ４と定め、イレーズ時のレーザ出力ＰＥ０をＸ１，Ｘ２と定め、書き込み時のレーザ出力ＰＷ０をＸ３，Ｘ４と定め、γ調整に必要なＰＥ０をＸＥと定め、該ＶＲＤＣにセットする電圧をＹＥと定め、該ＶＷＤＣにセットする電圧をＹＷと定めたときに、
該ＸＥに対応する該ＶＲＤＣのＤ／Ａコンバート値は、
ＹＥ＝Ｙ１＋（（Ｙ２−Ｙ１）／（Ｘ２−Ｘ１））＊（ＸＥ−Ｘ１）
で取得され、
該ＸＥに対応する該ＶＷＤＣのレーザ出力値ＸＷは、
ＸＷ＝ＸＥ／ε
で取得され、
該ＸＷに対応する該ＶＷＤＣのＤ／Ａコンバート値は、
ＹＷ＝Ｙ３＋（（Ｙ４−Ｙ３）／（Ｘ４−Ｘ３））＊（ＸＷ−Ｘ３）
で取得されることを特徴とする。
【０００９】
請求項３に係る光ディスク記録装置は、請求項１又は２記載の光ディスク記録装置において、前記記録対象となる光ディスクに応じて設定されたε値は、イレーズ時のレーザ出力ＰＥ０と、書き込み時のレーザ出力ＰＷ０との比ＰＥ０／ＰＷ０とされたことを特徴とする。
【００１０】
【発明の実施の形態】
以下に本発明に係る光ディスク記録装置の一実施形態について図面に基づいて説明する
。
【００１１】
図１は、本発明に係る光ディスク記録装置の構成の一実施形態を示すブロック図である。
光ディスク１０は、スピンドルモータ１２により所定の回転数で回転される。そして、光ピックアップ１４が光ディスク１０にレーザ光を照射し、その反射光を受光する。光ピックアップ１４は、受光に応じた受信信号を読み出し回路１６に供給する。読み出し回路１６は、受信信号から読み取りデータを復元し、これをＤＲＡＭ１８に書き込む。そして、このＤＲＡＭ１８内の読み取りデータが適宜出力される。例えば、インタフェース、通信バスを介し、コンピュータに供給される。なお、光ピックアップ１４は、反射光の強度を検出するフロントモニタダイオード（ＦＭＤ）を有している。
【００１２】
また、ＤＲＡＭ１８には、コンピュータなどから、通信バス、インタフェースを介し供給された書き込みデータが記憶される。このＤＲＡＭ１８内の書き込みデータは、書き込み回路２０により読み出され、レーザ制御部２８により所定の書き込み信号に変換され、光ピックアップ１４に供給される。光ピックアップ１４は、書き込み信号に応じた光を射出し、これによって光ディスク１０への書き込みが行われる。
【００１３】
また、読み出し回路１６において得られる光ピックアップ１４からの読み出し信号は、回転制御回路２２にも供給される。回転制御回路２２は、読み出し信号に基づいて、光ディスク１０の回転数を検出する。回転制御回路２２には、ＣＰＵ２４から目標回転数について信号が供給されており、回転制御回路２２は、検出された光ディスク１０の回転数と目標回転数とを比較して、モータ回転制御信号をモータドライバ２６に供給する。そして、モータドライバ２６がモータ回転制御信号に応じてスピンドルモータ１２を制御することで、光ディスク１０の回転数が目標回転数に制御される。
【００１４】
さらに、光ピックアップ１４による受光強度についての信号は、レーザ制御部２８に供給され、このレーザ制御部２８が光ピックアップ１４におけるレーザ出力を制御する。
【００１５】
ここで、光ディスク１０に信号を書き込む場合には、信号の記録に先立ち、試し書きエリアに所定の信号を書き込み、これを読み出して最適のレーザ出力を検出し、レーザ出力を設定する。さらに、光ディスク１０がＣＤ−ＲＷである場合、試し書きに先立ちε値の調整を行う。このε値は、ＣＤ−ＲＷにおけるイレーズ時のレーザ出力ＰＥ０と、信号書き込み時のレーザ出力ＰＷ０との比（ＰＥ０／ＰＷ０）であるが、これについて次のようにして設定する。
【００１６】
ここで、このε値の設定について説明する。まず、レーザ出力は、光ピックアップ１４のレーザ発振器に供給する電圧信号であるＶＲＤＣと、ＶＷＤＣとによって制御される。すなわち、図２に示すように、レーザ制御部２８からの出力において、信号消去時（イレーズ時）には、ＰＥ０制御信号によりＶＲＤＣが出力され、信号書き込み時（ライト時）には、ＰＷ０制御信号の状態に応じてＶＷＤＣと、ＧＮＤとの間で上下する電圧が出力される。そして、この電圧に従って、レーザが出力され、ＣＤ−ＲＷディスクに対し、信号の消去、書き込みが行われる。
【００１７】
ここで、図３に、レーザ制御部２８、レーザ出力のための構成を示す。ＶＷＤＣ発生部３０およびＶＲＤＣ発生部３２は、ＣＰＵ２４の指令に応じて、ＶＷＤＣおよびＶＲＤＣをそれぞれ発生する。また、書き込み回路２０は、書き込みデータに従ってＰＷ０制御信号およびＰＥ０制御信号を発生する。このＰＷ０制御信号およびＰＥ０制御信号は、ＶＷＤＣ発生回路３０およびＶＲＤＣ発生回路３２からレーザドライバ３４に至る経路に設けられたスイッチ３６、３８のオンオフを制御する。従って、書き込みデータに応じてレー
ザドライバ３４に供給される信号が制御される。そして、レーザドライバ３４が、供給されるＶＷＤＣ、ＶＲＤＣに基づいて、レーザダイオード４０による発光を制御する。また、レーザダイオード４０の出力は、フロントモニタダイオード（ＦＭＤ）４２によって検出され、ＶＷＤＣ発生回路３０、ＶＲＤＣ発生回路３２に供給され、これらＶＷＤＣ発生回路３０、ＶＲＤＣ発生回路３２は、出力するＶＷＤＣ、ＶＲＤＣの電圧値をＦＭＤ４２の検出値に応じて制御する。
【００１８】
なお、ＶＷＤＣ発生回路３０、ＶＲＤＣ発生回路３２、スイッチ３６、３８は、レーザ制御部２８内に設けられ、レーザドライバ３４、レーザダイオード４０、ＦＭＤ４２は、光ピックアップ１４内に設けられる。
【００１９】
そして、本実施形態においては、所定のレーザ出力に対応するＶＲＤＣおよびＶＷＤＣのデータが、レジスタ２８ａに記憶されている。工場における出荷前の段階で、ＶＲＤＣとＶＷＤＣとについてのデータをレジスタ２８ａに書き込んでおく。例えば、代表的な２つのレーザ出力値に対応するＶＲＤＣとＶＷＤＣとについて、Ａ／Ｄコンバータで変換して得たデジタルデータをレジスタ２８ａに記憶する。ＶＲＤＣも対応するレーザ出力は、通常７ｍＷ程度であり、代表的な２点として、６ｍＷと、８ｍＷとを選び、これに対応するＶＲＤＣのデジタル値をレジスタ２８ａに記憶する。また、ＶＷＤＣも対応するレーザ出力は、通常１４ｍＷ程度であり、代表的な２点として、１２ｍＷと、１６ｍＷとを選び、これに対応するＶＷＤＣのデジタル値をレジスタ２８ａに記憶する。
【００２０】
なお、レジスタ２８ａは、不揮発性のメモリである必要がある。フラッシュメモリなどが好適である。
【００２１】
このために、工場の出荷前の工程検査において、次の処理を行う。
【００２２】
まず、ＶＲＤＣについて、図４に示すように、ＰＥ０制御信号を常時有効、ＰＷ０制御信号を常時無効にして、
（ｉ）Ｘ１ｍＷ（６ｍＷ）になるように、ＶＲＤＣを決定するＤ／Ａ出力を変更し、そのときのデジタルデータＹ１を取得し、
（ｉｉ）Ｘ２ｍＷ（８ｍＷ）になるように、ＶＲＤＣを決定するＤ／Ａ出力を変更し、そのときのデジタルデータＹ２を取得し、
（ｉｉｉ）Ｘ１，Ｙ１，Ｘ２，Ｙ２をレジスタ２８ａに記憶する。
【００２３】
次に、ＶＷＤＣについて、図５に示すように、ＰＥ０制御信号を常時無効、ＰＷ０制御信号を常時有効にして、
（ｉ）Ｘ３ｍＷ（１２ｍＷ）になるように、ＶＷＤＣを決定するＤ／Ａ出力を変更し、そのときのデジタルデータＹ３を取得し、
（ｉｉ）Ｘ４ｍＷ（１６ｍＷ）になるように、ＶＷＤＣを決定するＤ／Ａ出力を変更し、そのときのデジタルデータＹ４を取得し、
（ｉｉｉ）Ｘ３，Ｙ３，Ｘ４，Ｙ４をレジスタ２８ａに記憶する。
【００２４】
そして、信号書き込みに当たっては、まず記録対象となるＣＤ−ＲＷディスクをターンテーブルにセットした場合に、まずディスクからＣＤ−ＲＷと判定するＡＴＩＰ特別情報を読み取り、この情報からディスク固有のε値（通常０．４０〜０．６６）を得る。そして、読み取られたε値と、レジスタ２８ａに記憶されている値とから、次のようにして、ＶＲＤＣおよびＶＷＤＣを設定し、試し書きを行って、γ調整を行う。
【００２５】
ここで、γ調整に必要なＰＥ０（ＶＲＤＣ）をＸＥｍＷとした場合に、ＶＲＤＣにセットする電圧ＹＥおよびＶＷＤＣにセットする電圧ＹＷは、次のようにして決定する。
【００２６】
（ｉ）ＸＥｍＷに対応するＶＲＤＣのＤ／Ａコンバート値を、
ＹＥ＝Ｙ１＋（（Ｙ２−Ｙ１）／（Ｘ２−Ｘ１））＊（ＸＥ−Ｘ１）
で取得する。
【００２７】
（ｉｉ）ＸＥｍＷに対応するＶＷＤＣのレーザ出力値ＸＷｍＷを、
ＸＷ＝ＸＥ／ε
で取得する。
【００２８】
（ｉｉｉ）ＸＷｍＷに対応するＶＷＤＣのＤ／Ａコンバート値を、
ＹＷ＝Ｙ３＋（（Ｙ４−Ｙ３）／（Ｘ４−Ｘ３））＊（ＸＷ−Ｘ３）
で取得する。
【００２９】
このようにして得たＹＥをＶＲＤＣにセットし、ＹＷをＶＷＤＣにセットすることで、読み出したディスク固有のε値をセットするとともに、レーザ出力を目標であるＸＥｍＷに設定することができる。
【００３０】
このように、本実施形態の装置によれば、レジスタ２８ａに記憶されているデータに基づいて、ε値の調整も行うことができ、デジタルポテンショメータなどによる調整が不要となる。デジタルポテンショメータを利用する調整では、フォーカスをオフしてのレーザ照射によってレーザ出力を調整しており、回復に時間がかかり、ディスクに悪影響が生じる可能性があったが、本実施形態によりこれら欠点を解消することができる。さらに、デジタルデータに基づいて出力設定が行えるため、精度のよいε値の調整が行える。
【００３１】
なお、上述の例では、制御信号をＤＣとしたが、ＰＷ０制御信号等をパルスとしても、デューティー比が既知であれば、同様に演算が可能である。
【００３２】
また、記憶しておく値として、通常使用するレーザ出力値を挟む２つの値を利用することによって、精度の高い設定が行える。なお、記憶するデータを３点以上とすることで、さらに精度を上げることができる。この場合においても、線形の補間を行えばよい。場合によっては、２次曲線などを利用した補間を行ってもよい。
【００３３】
【発明の効果】
以上の如く、請求項１記載の発明によれば、記憶手段に記憶されているデータに基づいて、記録対象となる光ディスクに応じて設定されたε値の調整も行うことができ、デジタルポテンショメータなどによる調整が不要となる。デジタルポテンショメータを利用する調整では、フォーカスをオフしてのレーザ照射によってレーザ出力を調整しており、回復に時間がかかり、ディスクに悪影響が生じる可能性があったが、本実施形態によりこれら欠点を解消することができる。さらに、デジタルデータに基づいて出力設定が行われるため、精度のよいε値の調整が行われる。
【００３４】
また、記憶しておく値として、通常使用するレーザ出力値を挟む２つの値を利用することによって、精度の高い設定が行われる。
【図面の簡単な説明】
【図１】  本発明に係る光ディスク記録装置の構成の一実施形態を示すブロック図である。
【図２】  レーザ駆動波形を示す図である。
【図３】  レーザ出力のための構成を示す図である。
【図４】  イレーズ時のレーザ出力についての指令値ＶＲＤＣのデジタルデータについて説明する図である。
【図５】  書き込み時のレーザ出力についての指令値ＶＷＤＣのデジタルデータについて説明する図である。
【符号の説明】
１０        光ディスク
１２        スピンドルモータ
１４        光ピックアップ
１６        読み出し回路
１８        ＤＲＡＭ
２０        書き込み回路
２２        回転制御回路
２４        ＣＰＵ
２６        モータドライバ
２８        レーザ制御部
２８ａ      レジスタ
３０        ＶＷＤＣ発生回路（ＶＷＤＣ発生部）
３２        ＶＲＤＣ発生回路（ＶＲＤＣ発生部）
３４        レーザドライバ
３６，３８  スイッチ
４０        レーザダイオード
４２        ＦＭＤ（フロントモニタダイオード）
【図１】
0003843000.tif 000002
【図２】
0003843000.tif 000003
【図３】
0003843000.tif 000004
【図４】
0003843000.tif 000005
【図５】
0003843000.tif 000006